(57)【要約】【課題】第１と第２の細長い半ケース胴の開閉用枢支側壁部を枢着する印鑑ケースのヒンジ継手として、ワンタッチ的に組付け可能なものを提供する。【解決手段】ヒンジ継手２１を、第１の半ケース胴１１の枢支側壁部１４に一体的に形成した、長手方向に間隔をおいて外方に突出する一対のピン支持部２３間を長手方向にのび丸形の継手ピン２２と、第２の半ケース胴１６の枢支側壁部１８に一体的に形成した、枢支側壁部１８の外方部を長手方向にのびるとともに第１の半ケース胴１１に形成した継手ピン１４に相対的に回転可能に係合するピン係合溝２５を有する凹形のピン係合部２４で構成する。【選択図】図１
0003122491.tif 000002
【実用新案登録請求の範囲】
【請求項１】
第１と第２の細長い半ケース胴の開閉用枢支側壁部を枢着する印鑑ケースのヒンジ継手であって、第１の半ケース胴の枢支側壁部に一体的に形成した、長手方向に間隔をおいて外方に突出する一対のピン支持部間を長手方向にのびる継手ピンと、第２の半ケース胴の枢支側壁部に一体的に形成した、枢支側壁部外を長手方向にのびるとともに第１の半ケース胴に形成した継手ピンに相対的に回転可能に係合するピン係合溝を有する凹形のピン係合部とからなる、印鑑ケースのヒンジ継手。
【請求項２】
継手ピンが丸形である、請求項１記載の印鑑ケースのヒンジ継手。
【請求項３】
ピン係合部の第２の半ケース胴の内部に正対する側と同一の側の外周部が円弧状である、請求項１又は２記載の印鑑ケースのヒンジ継手。
【請求項４】
ピン係合部の外側の側壁部が、第１の半ケース胴の枢支側壁部にストップ可能である、請求項１〜３のいずれかに記載の印鑑ケースのヒンジ継手。
【請求項５】
継手ピン付きの第１の半ケース胴とピン係合部付きの第２の半ケース胴を、プラスチック成形で形成してなる、請求項１〜４のいずれかに記載の印鑑ケースのヒンジ継手。
【考案の詳細な説明】
【技術分野】
【０００１】
この考案は、第１と第２の細長い半ケース胴の開閉用枢支側壁部相互を枢着するヒンジ継手（蝶番）の改良に関する。
【背景技術】
【０００２】
この種の印鑑ケースのヒンジ継手としては、二つの半ケース胴の開閉用枢支側壁部の互いに長手方向において隣接する部位に一体的に形成（突設）したピン孔付きの筒形継手部と、両筒形継手部のピン孔に長手方向の隣接整合状態で挿通する継手ピンとからなるものが知られている（例えば、特許文献１、２、３、４参照）。
【０００３】
しかるにこの公知の印鑑ケースのヒンジ継手には、その構成上、両半ケース胴に形成した両筒形継手部のピン孔を整合させた状態で、比較的小径で取り扱いにくい継手ピンを筒形継手部の比較的小径のピン孔に挿通する必要があるため、その組付けコスト、従って両半ケース胴の組立コストの低減がはかりにくいという難点がある。
【特許文献１】特開２００５−２９７３７５号公報
【特許文献２】特開２００５−１８６３９０号公報
【特許文献３】実用新案登録第３０８８６９２号公報
【特許文献４】実用新案登録第３０２７１３９号公報
【考案の開示】
【考案が解決しようとする課題】
【０００４】
この考案は、公知の印鑑ケースのヒンジ継手に認められる上記のような難点に鑑み、印鑑ケースのヒンジ継手として、半ケース胴とは別体の比較的小径で取扱いにくい継手ピン類を必要とせず、より簡単に、特にワンタッチ的に組付け可能なものを提供することを課題としている。
【課題を解決するための手段】
【０００５】
この考案によれば、上記の課題は、実用新案登録請求の範囲の請求項１に記載のように、第１と第２の細長い半ケース胴の開閉用枢支側壁部を枢着する印鑑ケースのヒンジ継手であって、第１の半ケース胴の枢支側壁部に一体的に形成した、長手方向に間隔をおいて外方に突出する一対のピン支持部間を長手方向にのびる継手ピンと、第２の半ケース胴の枢支側壁部に一体的に形成した、枢支側壁部外を長手方向にのびるとともに第１の半ケース胴に形成した継手ピンに相対的に回転可能に係合するピン係合溝を有する凹形（溝形）のピン係合部とからなる、印鑑ケースのヒンジ継手によって解決する。
【０００６】
この考案に係るヒンジ継手においては、請求項２に記載のごとく、継手ピンを丸形（円形断面）にすることが望ましい。
【０００７】
またこの考案のヒンジ継手においては、請求項３に記載のように、ピン係合部の第２の半ケース胴の内部に正対する側（第１の半ケース胴による閉鎖側）と同一の側の外周部を、円弧状（丸状）に形成することが好ましい。
【０００８】
さらにこのヒンジ継手においては、請求項４に記載のごとく、ピン係合部の外側の側壁部を、第１の半ケース胴の枢支側壁部にストップ係合（当接）可能に形成することが望ましい。
【０００９】
またさらにこの考案に係るヒンジ継手においては、請求項５に記載のように、継手ピン付きの第１の半ケース胴とピン係合部付きの第２の半ケース胴は、プラスチック成形で形成することが好ましい。
【考案の効果】
【００１０】
請求項１に記載のこの考案に係る印鑑ケースのヒンジ継手によれば、第１の半ケース胴に一体的に形成した継手ピンを、第２の半ケース胴に一体的に形成したピン係合部のピン係合溝に嵌合するワンタッチ的な作業のみで、ヒンジ継手を組付けることができるので、公知のものに比して、その組付けコスト、従って印鑑ケースの組立コストを一段と低減することができる。
【００１１】
また請求項２に記載の継手ピン部の丸形構成によれば、ヒンジ継手の回転（枢動）が円滑にスムースに行われる。
【００１２】
さらに請求項３に記載のピン係合部の円弧状構成によれば、その回転上必要な径を小さくすることができ、このためピン係合部の第２の半ケース胴の一側部からの突出量を小さくすることができる。
【００１３】
また請求項４に記載のピン係合部の当接構成によれば、両半ケース胴の１８０°を越える必要以上の開放を防止することができる。
【００１４】
さらにまた請求項５に記載のプラスチック成形構成によれば、印鑑ケースをより安価に製作することができる。
【考案を実施するための最良の形態】
【００１５】
以下図面に基づいて、この考案に係る印鑑ケースのヒンジ継手の好適な実施形態について説明する。
【００１６】
図示したヒンジ継手２１は、ケース閉鎖係止部１２と印肉収容部１２付きの第１の半ケース胴１１及びケース閉鎖係止部１３付きの第２の半ケース胴１６に一体的にプラスチック成形したもので、前者の半ケース胴１１の枢支側壁部１４の開閉端部に一体的に成形した、長手方向の両端部近傍部において外方に突出する一対の丸形のピン支持部２３の間を、半ケース胴１１の枢支側壁部１４との間に間隔（間隙）をおいて枢支側壁部１４に平行にのびる丸形の継手ピン２２と、後者の半ケース胴１６の枢支側壁部１８の開閉端部に一体的に成形した、開閉端部の外方部を長手方向にのびるとともに継手ピン２２とほぼ同等の長さと幅を有するピン係合溝２５付きの凹形のピン係合部２４とからなっている。
【００１７】
ここでピン係合部２４のピン係合溝２５は、半ケース胴１６の内部に正対する側と同一側が開口しているとともに、ピン係合部２４は、図２に示すごとく、ピン係合溝２５の開口部に隣接する内外の側壁部の外周部が、ピン支持部２３と同等の径の円弧(丸)状に形成されている一方、側壁部の残部と底壁部は凹形の三辺部を形成する形に形成されている。
【００１８】
この図示のヒンジ継手２１における継手ピン２２とピン係合部２４は、図２に示すように、第１の半ケース胴１１の枢支側壁部１４と継手ピン２２の間の間隙にピン係合部２４の外側の側壁部を挿入しながら、継手ピン２２をピン係合部２４のピン係合溝２５内にその開口を通して嵌入することにより組付けて、開閉自在な印鑑ケースとして組立てる。
【００１９】
なお図２に示すように、このヒンジ継手２１のピン係合部２４は、両半ケース胴１１、１６の約１８０°の開放状態の際には、その外側の側壁部の底部側が第１の半ケース胴１６の枢支側壁部１４の外壁部に当接して、それ以上の不要な開放を抑制するようになっている。
【００２０】
この考案に係る印鑑ケースのヒンジ継手は、このほか種々の形態で実施することができるもので、上記の形態に限定されるものではない。
【図面の簡単な説明】
【００２１】
【図１】この考案に係るヒンジ継手の好適な実施形態を含む印鑑ケースの開放状態の分解図である。
【図２】図１に示すヒンジ継手の実施形態の一部を切り欠いた拡大組付け図である。
【符号の説明】
【００２２】
１１  第１の半ケース胴
１２  ケース閉鎖係止部
１３  印肉収容部
１４  枢支側壁部
１６  第２の半ケース胴
１７  ケース閉鎖係止部
１８  枢支側壁部
２１  ヒンジ継手
２２  継手ピン
２３  ピン支持部
２４  ピン係合部
２５  ピン係合溝
【図１】
0003122491.tif 000003
【図２】
0003122491.tif 000004